(57)【要約】  本発明は、水性組成物で浸されたアプリケータ部材を含む、毛髪処理デバイス(1)用の化粧製品レフィル(20)に関し、アプリケータ部材(26)は、0.11〜0.25g/cm3の密度を有し、水性組成物は、22℃において4、好ましくは5〜100センチポアズの粘度を有する。  本発明はまた、そのようなレフィルを設けられた毛髪処理デバイスに関する。
2020501856.tif 000002
【特許請求の範囲】
【請求項１】
水性組成物で浸されたアプリケータ部材(26)を含む、毛髪処理デバイス(1)用の化粧製品レフィル(20)であって、前記アプリケータ部材が、0.11〜0.25g/cm3の密度を有し、前記水性組成物が、4〜250センチポアズ、好ましくは4〜100センチポアズの粘度を有する、化粧製品レフィル。
【請求項２】
前記アプリケータ部材(26)が多孔質である、請求項1に記載の化粧製品レフィル。
【請求項３】
前記アプリケータ部材(26)が、0.11〜0.15g/cm3の密度を有し、前記水性組成物が、22℃において、20センチポアズよりも大きい、および/または25センチポアズよりも小さい粘度を有する、請求項1または2に記載の化粧製品レフィル。
【請求項４】
前記アプリケータ部材(26)がフェルトであり、前記アプリケータ部材の繊維が、好ましくは、処理される前記毛髪と接触しているように意図された表面に平行または垂直に配向され、特に前記繊維が、処理される前記毛髪と接触しているように意図された前記表面に平行な、前記アプリケータ部材(26)の長手方向に配向される、請求項1から3のいずれか一項に記載の化粧製品レフィル。
【請求項５】
前記アプリケータ部材(26)、適切な場合、特に前記フェルトが、ポリエチレン、ポリプロピレン、またはポリエチレンとポリプロピレンの混合物から作られ、好ましくは前記混合物が、50%のポリエチレンおよび50%のポリプロピレンを含む、請求項1から4のいずれか一項に記載の化粧製品レフィル。
【請求項６】
前記アプリケータ部材(26)が、90%以下の、好ましくは80%以下の、さらに好ましくは70%以下の初期充填度で、水性組成物で浸漬されている、請求項1から5のいずれか一項に記載の化粧製品レフィル。
【請求項７】
前記アプリケータ部材(26)が、40%以上の、好ましくは50%以上の、さらに好ましくは60%以上の初期充填度で、水性組成物で浸漬されている、請求項1から6のいずれか一項に記載の化粧製品レフィル。
【請求項８】
前記アプリケータ部材(26)が、処理される前記毛髪に塗布される水性組成物のリザーバに固定され、前記リザーバが好ましくは前記アプリケータ部材と同じ材料で、さらに好ましくはより低い密度を有する材料で作られる、請求項1から7のいずれか一項に記載の化粧製品レフィル。
【請求項９】
前記アプリケータ部材(26)および前記リザーバが、適切な場合、6mlを超える、好ましくは10mlを超える、および/または14ml未満の、好ましくは11ml未満の水性組成物の量で浸されている、請求項1から8のいずれか一項に記載の化粧製品レフィル。
【請求項１０】
前記アプリケータ部材(26)が、矩形または十字形の断面を有しており、処理される前記毛髪と接触しているように意図された平らな、尖った、もしくは丸い端部を有しており、および/または1つもしくは2つのベベルを有している、細長い形状をもつ、請求項1から9のいずれか一項に記載の化粧製品レフィル。
【請求項１１】
2つの対向する壁および底部によって少なくとも部分的に形成され、開口によって外に向かって開いた空洞を画定する本体を備え、前記アプリケータ部材(26)が前記空洞に部分的に収容され、前記開口を通って前記空洞の外に部分的に延びる、請求項1から10のいずれか一項に記載の化粧製品レフィル。
【請求項１２】
前記水性組成物が、1つもしくは複数の非シリコーン界面活性剤および/または1つもしくは複数のシリコーン化合物を含み、前記非シリコーン界面活性剤が、陰イオン界面活性剤、陽イオン界面活性剤、非イオン界面活性剤、または両性界面活性剤から、好ましくは陽イオン界面活性剤から選ばれる、請求項1から11のいずれか一項に記載の化粧製品レフィル。
【請求項１３】
前記非シリコーン界面活性剤および/または前記シリコーン化合物が、前記水性組成物の総重量に対して、重量で0.01〜10%、さらに良くは0.05〜5%の含有量で、前記水性組成物に存在する、請求項12に記載の化粧製品レフィル。
【請求項１４】
前記水性組成物が、1つもしくは複数の脂肪性物質および/または1つもしくは複数の非シリコーンポリマーを含み、前記脂肪性物質が、好ましくは脂肪アルコール、油、および植物ワックスから選ばれ、前記非シリコーンポリマーが、好ましくは陽イオン性非シリコーンポリマーから選ばれる、請求項1から13のいずれか一項に記載の化粧製品レフィル。
【請求項１５】
前記水性組成物が、エマルジョンの形態である、請求項1から14のいずれか一項に記載の化粧製品レフィル。
【請求項１６】
閉じられたパッケージと、前記パッケージ内の、請求項1から15のいずれか一項に記載の少なくとも1つの化粧製品レフィルとを含む、化粧製品レフィル物品。
【請求項１７】
毛髪処理デバイス(1)であって、
-  少なくとも1つのホルダー、好ましくはハウジングを含むアーム(5、6)と、
-  前記ハウジングに取り外し可能に配置された、請求項1から15のいずれか一項に記載の化粧製品レフィル(20)と
を備える、毛髪処理デバイス。
【請求項１８】
少なくとも1つの加熱要素を備え、前記デバイスが、好ましくはアイロンを構成する、請求項17に記載のデバイス。
【請求項１９】
ヘアストレートナーである、請求項17または18に記載の毛髪処理デバイス。
【請求項２０】
請求項17から19のいずれか一項に記載のデバイスを使用して前記毛髪に化粧製品を塗布するステップを含む、前記毛髪を処理するための方法。
【発明の詳細な説明】
【技術分野】
【０００１】
本発明は、毛髪処理デバイス用の化粧製品レフィルに関し、より詳細には、限定はしないが、毛髪を整形するためのデバイス用の、特に毛髪をストレートにする、カールさせる、または縮らせることを目的とする、化粧製品レフィルに関する。
【０００２】
本発明はまた、そのようなレフィルを設けられたデバイス、および毛髪を処理するための方法に関する。
【背景技術】
【０００３】
通常、ヘアストレートナー(hair straightener)は、ヒンジを用いて互いに接続された2つのアームであって、ヒンジが前記アームの開閉を可能にする、2つのアームと、アームに配置された少なくとも1つの加熱要素とから構成される。毛髪の房をスタイリングする動作中、前記房は、開位置の2つのアームの間に差し込まれ、次いで毛髪の房の上から手動で閉じられる。次いで毛髪の房は、2つのアームが開かれ、毛髪の房が取り除かれるまで、加熱要素によって出された熱にかけられる。
【０００４】
出願WO 2009/078046は、ヘアスタイリング器具について記載し、このヘアスタイリング器具は、器具を開閉できるように互いに接続された2つのアームと、少なくとも1つの加熱部材と、毛髪処理デバイスを収納するための少なくとも1つのシートとを備え、毛髪処理デバイスは動作中にヘアケア製品を分配できるようにする。毛髪処理デバイスは、ヘアケア製品を含浸した、使い捨てに適した支持材料を備える。
【０００５】
WO 2009/015027およびUS 2009/0025247は、毛髪との接触によってヘアケア製品を塗布できるようにするヘアストレートデバイス(hair straightening device)を開示する。塗布されるヘアケア製品は、それの塗布用の取り外し可能なレフィルに含まれている。前記取り外し可能なレフィルは、ゼリー状のヘアケア製品を含んでいるリザーバと、製品を分配し、塗布するためのオリフィスとを備え、上記オリフィスは、リザーバの壁を貫通して直接作られる。レフィルは、ヘアストレートナーの2つのアームのうちの一方に配置されたハウジングに、滑らせることによって差し込まれる。
【０００６】
同じく出願WO 2013/045331は、毛髪にケア物質を塗布するためのアプリケータであって、アプリケータのハウジングに収容されたケア物質のカートリッジを備えるアプリケータを開示する。カートリッジは、ケア物質で浸された(saturated with)多孔質支持体を含む。
【０００７】
出願WO 2013/090896は、毛髪処理器具に関し、詳細には、毛髪または皮膚に塗布されるように、処理剤ホルダー、特に浸された多孔質材料を備える、ヘアスタイリング器具に関する。ホルダーは、アクセサリに固定され、アクセサリ自体は、毛髪処理器具に取り外し可能に取り付けられる。ホルダーはT字形であり、アクセサリにある相補的な溝に取り付けることができる。
【先行技術文献】
【特許文献】
【０００８】
【特許文献１】WO 2009/078046
【特許文献２】WO 2009/015027
【特許文献３】US 2009/0025247
【特許文献４】WO 2013/045331
【特許文献５】WO 2013/090896
【発明の概要】
【発明が解決しようとする課題】
【０００９】
特に化粧製品が水性組成物の形態であるとき、化粧製品の適切な塗布を確実にするために、ヘアケア製品を塗布するためのデバイスをさらに改善する必要がある。
【課題を解決するための手段】
【００１０】
本発明の主題は、したがって、水性組成物で浸されたアプリケータ部材を含む、毛髪処理デバイス用の化粧製品レフィルであり、アプリケータ部材は、0.11〜0.25g/cm3の密度を有し、水性組成物は、4〜250センチポアズ、好ましくは4〜100センチポアズの粘度を有する。
【００１１】
アプリケータ部材の密度/水性組成物の粘度のそのような組合せにより、使用中に十分な、かつ十分に一定の化粧製品の量を毛髪に保持することが可能になる。
【００１２】
好ましくは、本発明による化粧製品レフィルは、以下の特徴のうちの1つまたは複数を、単独でまたは組み合わせて有する。
-  アプリケータ部材は多孔質である。
-  アプリケータ部材は、0.11〜0.15g/cm3の密度を有し、水性組成物は、22℃において、20センチポアズを超えるおよび/または25センチポアズ未満の粘度を有する。
-  アプリケータ部材はフェルトであり、アプリケータ部材の繊維は、好ましくは、処理される毛髪と接触しているように意図された表面に平行または垂直に配向され、特に繊維は、処理される毛髪と接触しているように意図された表面に平行な、アプリケータ部材の長手方向に配向される。
-  アプリケータ部材、適切な場合、特にフェルトは、ポリエチレン、ポリプロピレン、またはポリエチレンとポリプロピレンの混合物から作られ、好ましくは混合物は、50%のポリエチレンおよび50%のポリプロピレンを含む。
-  アプリケータ部材は、90%以下の、好ましくは80%以下の、さらに好ましくは70%以下の初期充填度で、水性組成物で浸漬されている。
-  アプリケータ部材は、40%以上の、好ましくは50%以上の、さらに好ましくは60%以上の初期充填度で、水性組成物で浸漬されている。
-  アプリケータ部材は、処理される毛髪に塗布されることになる水性組成物のリザーバに固定され、リザーバは、好ましくはアプリケータ部材と同じ材料で、さらに好ましくはより低い密度を有する材料で作られる。
-  アプリケータ部材およびリザーバは、適切な場合、6mlを超える、好ましくは10mlを超える、および/または14ml未満の、好ましくは11ml未満の水性組成物の量で浸されている。
-  アプリケータ部材は、矩形または十字形の断面を有しており、処理される毛髪と接触しているように意図された平らな、尖った、もしくは丸い端部を有しており、および/または1つもしくは2つのベベル(bevel)を有している、細長い形状をもつ。
-  レフィルは、2つの対向する壁および底部によって少なくとも部分的に形成され、開口によって外に向かって開いた空洞を画定する本体を備え、前記アプリケータ部材は前記空洞に部分的に収容され、開口を通って空洞の外に部分的に延びる。
-  水性組成物は、1つもしくは複数の非シリコーン界面活性剤および/または1つもしくは複数のシリコーン化合物を含み、非シリコーン界面活性剤は、陰イオン界面活性剤、陽イオン界面活性剤、非イオン界面活性剤、または両性界面活性剤から、好ましくは陽イオン界面活性剤から選ばれる。
-  非シリコーン界面活性剤および/またはシリコーン化合物は、水性組成物の総重量に対して、重量で0.01〜10%、さらに良くは0.05〜5%の含有量で、水性組成物に存在する。
-  水性組成物は、1つもしくは複数の脂肪性物質および/または1つもしくは複数の非シリコーンポリマーを含み、脂肪性物質は、好ましくは脂肪アルコール、油、および植物ワックスから選ばれ、非シリコーンポリマーは、好ましくは陽イオン性非シリコーンポリマーから選ばれる。
-  水性組成物は、エマルジョンの形態である。
-  水性組成物は、目には単一の可視相に見える。
【００１３】
別の態様によれば、本発明は、閉じられたパッケージと、パッケージ内の、上記で説明した少なくとも1つの化粧製品レフィルとを含む、化粧製品レフィル物品に関する。
【００１４】
本発明はまた、毛髪処理デバイスに関し、この毛髪処理デバイスは、
-  少なくとも1つのホルダー、好ましくはハウジングを含むアームと、
-  ハウジングに取り外し可能に配置された、すべての組合せにおいて上記で説明した化粧製品レフィルと
を備える。
【００１５】
好ましくは、デバイスは、少なくとも1つの加熱要素を備える。
【００１６】
好ましくは、レフィルは、アームのハウジングに取り外し可能に配置される。
【００１７】
毛髪処理デバイスは、ヘアストレートナー、特にストレートアイロンである。
【００１８】
好ましくは、毛髪処理デバイスは、2つのアームを備え、2つのアームは、毛髪を処理するための一緒に動かされる構成と、前記アームの間で処理される毛髪を挿入するための離間した構成との間で、互いに対して動くことができる。
【００１９】
1つの変形態によれば、アームの少なくとも1つが、好ましくは各アームが、処理される毛髪のための加熱要素を備える。
【００２０】
また別の態様によれば、本発明は、組立式の毛髪処理アセンブリに関し、この組立式の毛髪処理アセンブリは、
-  毛髪用の加熱要素を設けられた少なくとも1つのアームを備える毛髪処理デバイスであって、これらのアームの少なくとも1つに、上記で説明した化粧製品レフィルを収納するのに適した収納ハウジングを備える、毛髪処理デバイスと、
-  それらのすべての組合せにおいて上記で説明した化粧製品レフィル物品と
を備える。
【００２１】
本発明の別の態様によれば、本発明はまた、毛髪を処理するための方法に関し、この方法は、本発明によるデバイスを用いて毛髪に上記で説明した化粧製品を塗布するステップを含む。
【００２２】
好ましくは、処理は、毛髪の房に沿ってデバイスを動かすことによって行われ、前記デバイスのアームは、前記動きの間、一緒に動かされる構成で保たれる。
【００２３】
本発明は、非限定的例示的実施形態の次の詳細な説明を読むことにより、また添付の図面を調べることにより、よりよく理解できよう。
【図面の簡単な説明】
【００２４】
【図１】毛髪処理デバイスの例の斜視図である。
【図２】図1のII-II横断面図である。
【図３】図1の毛髪処理デバイスにおいて採用され得るアプリケータ部材の例を断面で示す図である。
【図４】異なるタイプのアプリケータ部材によって送出される化粧製品の量のテストを示す図である。
【図５】組立式の毛髪処理アセンブリを概略的に示す図である。
【発明を実施するための形態】
【００２５】
説明の残りにおいて、同一の要素、または同一の機能を有する要素は、同じ参照符号が記載されている。本明細書を簡明にするために、図の各々に対してそれらを説明せず、異なる例の間の違いのみを説明する。
【００２６】
図1および図2は、毛髪処理デバイス1の例のハンドピース2を示す。
【００２７】
このハンドピース2は、2つのあご3および4を有し、2つのあご3および4は、前記あごの間に毛髪の房を差し込むための離間した構成(図示せず)と、毛髪の房を処理するための一緒に動かされる構成との間で、互いに対して動くことができる。
【００２８】
あご3および4は、それぞれ上側アーム5および下側アーム6によって運ばれ、アームは、当該の例では関節(articulation)8によって一端が互いに結合され、したがって、ハンドピース2はトングを形成する。
【００２９】
上側アーム5および下側アーム6は、各々好ましくは22cm〜37cm、好ましくは31cmの全長を有し、関節8とあご3および4との間に、それぞれのハーフハンドル10および11を定め、使用者はあご3および4を互いに動かすためにハーフハンドル10および11を圧迫することができる。
【００３０】
あご3および4を離間した構成に戻すために、好ましくは弾性戻り部材(見えない)が設けられ、この弾性戻り部材は、たとえば、関節8のピンの周りに配置されたばねである。
【００３１】
本発明は、上側アーム5および下側アーム6を互いに結合する特定の方法に限定されず、あご3および4は、本発明の範囲から逸脱することなく何らかの他の方法で移動できるようにされてもよい。しかしながら、関節の存在は、それにより実現される人間工学のために大いに好ましい。
【００３２】
あご3および4は、それらの間に毛髪を処理するための領域を定め、前記領域は、処理される毛髪の房を受け入れるように意図され、ハンドピース2は、処理中に上記房に沿って、たとえば毛髪の根元から先端への方向に動かされる。
【００３３】
当該の例では、ハンドピース2は、化粧製品を塗布し、毛髪を蒸気によって処理し、次いで、上側アーム5および下側アーム6によってそれぞれ保持される加熱要素15および16の2つの高温表面との接触により毛髪の熱処理を行うように構成される。
【００３４】
図1に示す、毛髪を覆うハンドピース2の移動の方向Dは、好ましくは上側アーム5および下側アーム6に対して実質的に垂直である。
【００３５】
ハンドピース2は、当該の例では、処理中に固定されて、電源に接続されるベースステーション(図示せず)に、線によって接続される。
【００３６】
このベースステーションは、ハンドピース2に電力を提供し、蒸気を発生させるための水の供給も行い、ハンドピース2から受信される電気信号を処理するという追加の機能を行う場合もある。ハンドピース2をベースステーションに接続する線18は、したがって、様々な電気導線、および給水パイプを備えてもよい。
【００３７】
ハンドピース2には、たとえばそれのいくつかの構成要素を起動するというオプションを使用者に与えるために、ユーザインターフェース(図には示されていない)が存在してもよい。
【００３８】
化粧製品は、2つのアームのうちの一方、5または6、この場合は圧迫要素21と接触する上側アーム5によって保持されるレフィル20によって塗布される。圧迫要素21は、取り外し可能であってもよい。
【００３９】
レフィル20は、本体23と、処理領域に広がる毛髪と接触するように配置されたアプリケータ部材26とを備える。
【００４０】
レフィル20は、いずれかの手段によって、特に、図2に示すように、本体23のリブを相補的な形状をもつ溝に滑り込ませることによって、アーム5または6に固定されてもよい。
【００４１】
図2に示すように、本体23は、開口部31によって外側に向かって開いている空洞30を有し、これにアプリケータ部材26が挿入軸Xに沿って挿入され、レフィルは製造される。本体は、空洞30の中に延びる結合レリーフを備えてもよい。
【００４２】
本体23は実質的に、縦軸に沿って細長い形状を有する。断面では本体23は、図2に示すようにU字形である。
【００４３】
図2に示すように、アプリケータ部材26は、直方体の形態であってもよい。したがってアプリケータ部材26は、処理される毛髪と接触しているように意図されている、アプリケータ部材26の反対側の表面に平行な実質的に平らな面を有する。したがってアプリケータ部材26の寸法は、たとえば8mm×20mm×90mmであり、毛髪と接触しているように意図された面は、8mm×90mmの寸法を有する。
【００４４】
しかしながら、図3は、アプリケータ部材26の可能な変形態を示す。したがってアプリケータ部材26aは、十字形の断面をもち、このアプリケータ部材26aは、図2のアプリケータ部材26と比較して、2つの平行六面体の縦リブ50aおよび50bを有する。
【００４５】
一方、アプリケータ部材20bは、図2のアプリケータ部材26と比較して、処理される毛髪54と接触しているように意図された点52を有する。点52は、反対の向きを有する2つのベベル56a、56bによって形成される。
【００４６】
アプリケータ部材26cは、断面がオジーヴ形状を有し、オジーヴの丸い端部58が毛髪54の方へ配向されるように意図されている。
【００４７】
アプリケータ部材26dは、アプリケータ部材26bと比較して、単一のベベル56aを有する。したがってアプリケータ部材26dは、反対側の表面62に平行であって、限られた寸法を有する、毛髪54と接触しているように意図された表面60を有する。
【００４８】
最後に、アプリケータ部材26eは、アプリケータ部材26eの反対側の表面62に実質的に平行に延びる、毛髪54と接触しているように意図された中央部分60によって接続された2つの反対のベベル56a、56bを有する。
【００４９】
他のアプリケータ部材の形状もまた、特に図3の変形態を組み合わせることによって想定され得る。
【００５０】
アプリケータ部材は、たとえばポリエチレン、ポリプロピレン、またはポリエチレンとポリプロピレンの混合物から作られてもよい。混合物は、特に50%のポリエチレンおよび50%のポリプロピレンを含んでもよい。
【００５１】
アプリケータ部材は、フェルトから作られてもよい。フェルトは、好ましくは、天然繊維または合成繊維を接合させることによって得られる不織布材料である。
【００５２】
フェルトの繊維は、処理される毛髪54の房の表面に平行に配向されてもよく、好ましくは繊維は、実質的に毛髪の上を進む方向Dに向けられる。一変形態では、アプリケータ部材のフェルトの繊維は、処理される毛髪54の房の表面に垂直に、すなわち、方向Dに垂直に、およびアプリケータ部材26の長手方向に配向される。
【００５３】
アプリケータ部材は、異なる繊維密度および/または繊維配向を有する少なくとも2つの部分を備えてもよい。特に、より低い繊維密度を有する部分が、リザーバの役割を果たし、より高い繊維密度を有する他の部分は、処理される毛髪の房への化粧製品のより均質な塗布を可能にする。このようにして、1つの同じ房上に送出される製品の量における、房上の位置に応じたばらつきは縮小される。
【００５４】
アプリケータ部材は、たとえば最初に6mlを超える、好ましくは10mlを超える、および/または14ml未満の、好ましくは11ml未満の化粧製品の量で浸されている。アプリケータ部材は、たとえば0.11g/cm3を超えるおよび/または0.25g/cm3未満の密度を有する。
【００５５】
化粧製品は、この場合、特にエマルジョンの形態の水性組成物である。
【００５６】
水性組成物は、重量で少なくとも5%の水を含む組成物であると理解される。
【００５７】
好ましくは、組成物は、組成物の総重量に対して、重量で少なくとも20%の水、さらに好ましくは重量で少なくとも50%の水、さらに一層好ましくは重量で少なくとも90%の水を含む。
【００５８】
エマルジョンは、好ましくはダイレクトである。
【００５９】
エマルジョンの固形分は、好ましくは重量で10%未満である。
【００６０】
好ましくは本発明による水性組成物は、1つもしくは複数の非シリコーン界面活性剤および/または1つもしくは複数のシリコーン化合物を含む。
【００６１】
組成物で使用可能な界面活性剤は、陰イオン、陽イオン、非イオン、または両性、好ましくは陽イオンであってもよい。
【００６２】
非シリコーン界面活性剤は、それらの構造にケイ素の原子を含んでいない界面活性剤であると理解される。
【００６３】
本発明の特定の一実施形態では、組成物は、第四級アンモニウム塩から選ばれる1つまたは複数の陽イオン界面活性剤を含む。
【００６４】
それらが存在するとき、非シリコーン界面活性剤は、好ましくは、水性組成物の総重量に対して、重量で0.01〜10%、さらに良くは0.05〜5%の範囲の含有量で、水性組成物に存在する。
【００６５】
シリコーンは、それらの構造にケイ素の1つまたは複数の原子を含む化合物を意味すると理解される。
【００６６】
本発明による化粧品組成物は、固体または液体、および揮発性または不揮発性であってもよい、1つまたは複数のシリコーンを含んでもよい。
【００６７】
使用され得るシリコーンは、本発明による組成物において可溶性または不溶性であってもよく、油、ワックス、樹脂、またはゴムの形態であってもよく、シリコーンオイルおよびゴムが好ましい。
【００６８】
それらが存在するとき、シリコーンは、好ましくは、水性組成物の総重量に対して、重量で0.01〜10%、さらに良くは0.05〜5%の範囲の含有量で、水性組成物に存在する。
【００６９】
本発明による水性組成物はまた、非シリコーン脂肪性物質、非シリコーンポリマー、特に陽イオン、非イオン、陰イオン、または両性の非シリコーンポリマー、UV遮断剤、着色料、顔料、保存料、および香料から選ばれる1つまたは複数の成分を含んでもよい。
【００７０】
好ましくは本発明による水性組成物は、1つもしくは複数の非シリコーン脂肪性物質および/または1つもしくは複数の非シリコーンポリマーを含む。さらに好ましくは本発明による水性組成物は、脂肪アルコール、天然もしくは合成油、または植物ワックスから選ばれる1つもしくは複数の非シリコーン脂肪性物質、および/または1つもしくは複数の陽イオンの非シリコーンポリマーを含む。
【００７１】
それらが存在する場合、非シリコーン脂肪性物質および/または非シリコーンポリマーは、好ましくは、水性組成物の総重量に対して、重量で0.05〜10%、さらに良くは0.1〜5%の範囲の含有量で存在する。
【００７２】
水性組成物は、4センチポアズ以上、好ましくは5センチポアズ以上の粘度を有する。
【００７３】
水性組成物は、500センチポアズ以下、好ましくは100センチポアズ以下の粘度を有する。水性組成物の粘度は、1.01325 105Paの圧力、22℃の温度、および1s-1の剪断速度で測定される。この粘度は、コーン/プレート粘度計、特にHaake R600レオメーターなどを使用して測定されてもよい。
【００７４】
多数のテストの後、意外にも、上記で説明したアプリケータ部材の密度と上記で説明した水性組成物の粘度の組合せは、毛髪に水性組成物の十分な化粧品効果を得るために、少なくともアプリケータ部材が処理される毛髪の房を最初に通過する間に、処理される毛髪の房に水性組成物の満足のいく量を送出することを可能にすることがわかった。これは、処理される毛髪の房でのアプリケータ部材の最初の70の通過、好ましくは最初の75の通過に当てはまり、これらの数は、頭部全体の処理に対応する。アプリケータ部材の通過は、本明細書では、処理される毛髪の房の方向にアプリケータ部材に3Nの力が加えられて、27cmの長さおよび10.5cmの幅を有する房を15sの実質的に一定の速さで通過することであると理解される。
【００７５】
好ましくはアプリケータ部材に存在する化粧製品の初期量は、90%以下、好ましくは85%以下、さらに良くは80%未満、および40%以上、好ましくは50%以上、さらに良くは60%以上のアプリケータ部材の初期充填度に対応する。具体的には、意外にも、アプリケータ部材が完全に化粧製品で浸されているわけではなく、むしろ上記のような充填度を有するとき、処理される毛髪を通過するごとに送出される化粧製品の量はあまり変化しないことを示すことがわかった。本発明によるレフィルの使用によって、使用者の毛髪のすべてに、より定まった、特により均質の化粧品効果を得ることができる。当然、化粧製品の量が不変であることは、化粧製品の塗布の状態、特に通過の速度および塗布の力が、毛髪処理デバイスの使用期間全体にわたって実質的に一定に保たれることを意味する。
【００７６】
「初期量」は、本明細書では、処理される毛髪を最初に通過する前にアプリケータ部材に存在する化粧製品の量であると理解される。
【００７７】
「アプリケータ部材の充填度」は、本明細書では、アプリケータ部材に事実上存在する化粧製品の質量と、アプリケータ部材を満たすことができる化粧製品の最大質量との比であると理解される。この充填度は、1.01325 105Paの大気圧および22℃の温度で測定される。
【００７８】
例として、図4は、異なるアプリケータ部材を用いて紙片に特定の水性組成物を塗布するテストの結果を示す。
【００７９】
(実施例)
以下の組成物A、B、およびCが、以下の表に示された成分から調製された。濃度は、組成物中の活物質の重量パーセントとして表されている。
【００８０】
【表１】
2020501856.tif 000003
【００８１】
この水性組成物Aの粘度は、22℃において22センチポアズである。
【００８２】
【表２】
2020501856.tif 000004
【００８３】
この水性組成物Bの粘度は、22℃において280センチポアズである。
【００８４】
【表３】
2020501856.tif 000005
【００８５】
この水性組成物Cの粘度は、22℃において87センチポアズである。
【００８６】
化粧製品で浸されたアプリケータ部材の異なるサンプルが受けるテストは、以下のものである。
-  Mondigroupが提供している75g/m2 IQ Appeal(登録商標)の紙片にアプリケータ部材をそれぞれ15秒で10回通過させることを行い、各紙片は長さが27cm、幅が10.5cmであり、10枚の紙片に第1の量の水性組成物を送出するために、3Nの力がアプリケータ部材に、紙片の方向に加えられる。この第1の量は、たとえば、10回の通過の前後にアプリケータ部材の重量を量ることによって決定されてもよく、10枚の紙片に堆積された水性組成物の総量は、測定された質量間の差に対応する。
-  次いで、Mondigroupが提供している75g/m2 IQ Appeal(登録商標)の新しい紙片にアプリケータ部材を15秒でさらに10回通過させることを行い、各紙片はやはり長さが27cm、幅が10.5cmであり、第2の量の水性組成物を送出するために、3Nの力がアプリケータ部材に、紙片の方向に加えられる。
【００８７】
本明細書では、紙片をその全長に沿って浸すことが重要であることに留意されたい。言い換えれば、アプリケータ部材は、1.8cm/sの速度で紙片にわたって動かされる。
【００８８】
すべての場合において、テストされるアプリケータ部材は平行六面体形状を有し、繊維は水性組成物が塗布される表面に平行な、実質的にアプリケータ部材の長手方向に配向される。アプリケータ部材は、50%のポリエチレンと50%のポリプロピレンの混合物から構成される。
【００８９】
テストされた第1のサンプル
テストされた第1のサンプルは、0.1g/cm3の密度を有し、上記で説明した水性組成物Aを80%まで浸されたアプリケータ部材を含む。
【００９０】
テストされた第2のサンプル
第2のサンプルは、単にアプリケータ部材の密度によって第1とは異なる。その密度は、0.13g/cm3に等しい。
【００９１】
テストされた第3のサンプル
第3のサンプルは、単にアプリケータ部材の密度によって第1および第2とは異なり、その密度は0.35g/cm3に等しい。
【００９２】
テストされた第4のサンプル
第4のサンプルは、0.13g/cm3の密度を有し、上記で説明した水性組成物Bを80%まで浸されたアプリケータ部材を含む。
【００９３】
テストされた第5のサンプル
この最後のサンプルは、0.10g/cm3の密度を有し、上記で説明した水性組成物Cを80%まで浸されたアプリケータ部材を含む。
【００９４】
図4の棒102、104、106、108、および110は、それぞれ第1、第2、第3、第4、および第5のサンプルに堆積された水性組成物の第1の量を示し、以下の値、すなわち1.82g、1.02g、0.20g、0.36g、および1.00gに対応する。
【００９５】
図4の棒112、114、116、118、および120は、それぞれ第1、第2、第3、第4、および第5のサンプルに堆積された水性組成物の第2の量を示し、以下の値、すなわち1.29g、0.78g、0.21g、0.22g、および0.57gに対応する。
【００９６】
毛髪への最良の化粧品結果、特により良い化粧品感触および堆積のより良い均質性は、次の2つの基準が満たされるとき、得られたことがわかった。
-  紙片を通過するごとの水性組成物の堆積が、0.5g〜1.2gの範囲である。
-  水性組成物の第1の量と第2の量との差の絶対値が、0.5g未満である。
【００９７】
第1のサンプルは、送出する化粧製品の量が大き過ぎ、第3および第4のサンプルは、これらに関する限り、送出する化粧製品の量が小さ過ぎることがわかった。したがって、これらのサンプルは、望ましい塗布には不適当である。
【００９８】
対照的に、第2および第5のサンプルによって送出される化粧製品の量は、望ましい範囲にある。これらの2つのサンプルの場合の化粧製品の第1の量と第2の量との差は、それぞれ0.24gおよび0.43gである。これらの2つのサンプルはしたがって、2つの求められている基準を満たし、ゆえに望ましい塗布の範囲で採用され得る。
【００９９】
本発明は、説明した例示的な実施形態に限定されず、それらの特徴は、示されていない変形態内で互いに組み合わせられる場合がある。
【０１００】
したがって、本発明は、たとえば、図5に概略的に示す組立式のアセンブリ200に関する。この組立式のアセンブリ200は、毛髪処理デバイス1と、化粧製品レフィル物品202とを含む。この物品は、この場合、特にアプリケータ部材から化粧製品が蒸発しないように閉じられたパッケージ204に、化粧製品レフィル20を含む。変形態では、パッケージ204は、複数の化粧製品レフィル20を含む場合がある。この場合、レフィルがパッケージから取り出されるとき、他の化粧製品レフィルが乾燥しないように、パッケージは再び閉じることができることが好ましい。変形態では、この場合、各個々のレフィルは、複数のレフィルに共通のパッケージの内部の個々のパッケージに保存される。
【０１０１】
さらに、他の水性組成物は、1s-1の剪断速度で22℃および1.01325 105Paにおいて、それらの粘度が5〜250センチポアズ、好ましくは4〜100センチポアズである限り、採用され得る。
【符号の説明】
【０１０２】
1  毛髪処理デバイス
2  ハンドピース
3  あご
4  あご
5  上側アーム
6  下側アーム
8  関節
10  ハーフハンドル
11  ハーフハンドル
15  加熱要素
16  加熱要素
18  線
20  レフィル
21  圧迫要素
23  本体
26  アプリケータ部材
30  空洞
31  開口部
50  縦リブ
52  点
54  毛髪
56  ベベル
58  丸い端部
60  表面、中央部分
62  反対側の表面
200  組立式のアセンブリ
202  化粧製品レフィル物品
204  パッケージ
【図１】
2020501856.tif 000006
【図２】
2020501856.tif 000007
【図３】
2020501856.tif 000008
【図４】
2020501856.tif 000009
【図５】
2020501856.tif 000010
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
水性組成物で浸されたアプリケータ部材(26)を含む、毛髪処理デバイス(1)用の化粧製品レフィル(20)であって、前記アプリケータ部材が、0.11〜0.25g/cm3の密度を有し、前記水性組成物が、4〜250センチポアズの粘度を有する、化粧製品レフィル。
【請求項２】
前記水性組成物が、4〜100センチポアズの粘度を有する、請求項1に記載の化粧製品レフィル。
【請求項３】
前記アプリケータ部材(26)が多孔質である、請求項1または2に記載の化粧製品レフィル。
【請求項４】
前記アプリケータ部材(26)が、0.11〜0.15g/cm3の密度を有し、前記水性組成物が、22℃において、20センチポアズよりも大きい、および/または25センチポアズよりも小さい粘度を有する、請求項1から3のいずれか一項に記載の化粧製品レフィル。
【請求項５】
前記アプリケータ部材(26)がフェルトである、請求項1から4のいずれか一項に記載の化粧製品レフィル。
【請求項６】
前記アプリケータ部材の繊維が、処理される前記毛髪と接触しているように意図された表面に平行または垂直に配向される、請求項5に記載の化粧製品レフィル。
【請求項７】
前記繊維が、処理される前記毛髪と接触しているように意図された前記表面に平行に、前記アプリケータ部材(26)の長手方向に配向される、請求項6に記載の化粧製品レフィル。
【請求項８】
前記アプリケータ部材(26)が、ポリエチレン、ポリプロピレン、またはポリエチレンとポリプロピレンの混合物から作られる、請求項1から7のいずれか一項に記載の化粧製品レフィル。
【請求項９】
前記アプリケータ部材(26)が、90%以下の初期充填度で、水性組成物で浸漬されている、請求項1から8のいずれか一項に記載の化粧製品レフィル。
【請求項１０】
前記アプリケータ部材(26)が、40%以上の初期充填度で、水性組成物で浸漬されている、請求項1から9のいずれか一項に記載の化粧製品レフィル。
【請求項１１】
前記アプリケータ部材(26)が、処理される前記毛髪に塗布される水性組成物のリザーバに固定される、請求項1から10のいずれか一項に記載の化粧製品レフィル。
【請求項１２】
前記アプリケータ部材(26)および前記リザーバが、6mlを超える水性組成物の量で浸されている、請求項11に記載の化粧製品レフィル。
【請求項１３】
前記アプリケータ部材(26)が、6mlを超える水性組成物の量で浸されている、請求項1から10のいずれか一項に記載の化粧製品レフィル。
【請求項１４】
前記アプリケータ部材(26)が、矩形または十字形の断面を有しており、処理される前記毛髪と接触しているように意図された平らな、尖った、もしくは丸い端部を有しており、および/または1つもしくは2つのベベルを有している、細長い形状をもつ、請求項1から13のいずれか一項に記載の化粧製品レフィル。
【請求項１５】
2つの対向する壁および底部によって少なくとも部分的に形成され、開口によって外に向かって開いた空洞を画定する本体を備え、前記アプリケータ部材(26)が前記空洞に部分的に収容され、前記開口を通って前記空洞の外に部分的に延びる、請求項1から14のいずれか一項に記載の化粧製品レフィル。
【請求項１６】
前記水性組成物が、1つもしくは複数の非シリコーン界面活性剤および/または1つもしくは複数のシリコーン化合物を含み、前記非シリコーン界面活性剤が、陰イオン界面活性剤、陽イオン界面活性剤、非イオン界面活性剤、または両性界面活性剤から選ばれる、請求項1から15のいずれか一項に記載の化粧製品レフィル。
【請求項１７】
前記非シリコーン界面活性剤および/または前記シリコーン化合物が、前記水性組成物の総重量に対して、重量で0.01〜10%の含有量で、前記水性組成物に存在する、請求項16に記載の化粧製品レフィル。
【請求項１８】
前記水性組成物が、1つもしくは複数の脂肪性物質および/または1つもしくは複数の非シリコーンポリマーを含む、請求項1から17のいずれか一項に記載の化粧製品レフィル。
【請求項１９】
前記水性組成物が、エマルジョンの形態である、請求項1から18のいずれか一項に記載の化粧製品レフィル。
【請求項２０】
閉じられたパッケージと、前記パッケージ内の、請求項1から19のいずれか一項に記載の少なくとも1つの化粧製品レフィルとを含む、化粧製品レフィル物品。
【請求項２１】
毛髪処理デバイス(1)であって、
-  少なくとも1つのホルダー、好ましくはハウジングを含むアーム(5、6)と、
-  前記ハウジングに取り外し可能に配置された、請求項1から19のいずれか一項に記載の化粧製品レフィル(20)と
を備える、毛髪処理デバイス。
【請求項２２】
少なくとも1つの加熱要素を備える、請求項21に記載のデバイス。
【請求項２３】
ヘアストレートナーである、請求項21または22に記載の毛髪処理デバイス。
【請求項２４】
請求項21から23のいずれか一項に記載のデバイスを使用して前記毛髪に化粧製品を塗布するステップを含む、前記毛髪を処理するための方法。
【国際調査報告】
2020501856.tif 000011
2020501856.tif 000012